(57)【要約】【課題】倒れにくく、滑り落ちにくく、折り畳み可能な容器を提供すること。【解決手段】矩形状の底部と、底部の各辺に接続した側壁部を備え、口部が開口した容器において、対向する一対の側壁部を三角形状または台形状にし、側壁部の中心に折り目を設け、容器の内側に折れ曲がるようにする。また、対向する一対の側壁部を矩形状にした場合には、側壁部の上部に、側壁部を折り曲げることにより凸部を形成する。【選択図】図１
2008007138.tif 000002
【特許請求の範囲】
【請求項１】
矩形状の底部（１９、２１）と、
前記底部の各辺に接続した側壁部（１１、１２、１３、１４）とを備え、
口部が開口した容器であって、
対向する一対の前記側壁部（１２、１４）は矩形状であり、
対向する他の一対の前記側壁部（１１、１３）は三角形状であり、
前記三角形状の側壁部の前記底面と接続する底辺の中心から対向する頂点に折り目（１１４、１１５）が形成され容器内部に折り曲がっており、
該折り目の一点（１１８、１２９）から前記三角形状の側壁部の前記底面と接続する各頂点に折り目（１１９、１２０、１３０、１３１）が形成され、
前記底辺の中心を結んだ線に沿って前記底部に折り目（１１１）が形成されていることを特徴とする容器。
【請求項２】
矩形状の底部と、
前記底部の各辺に接続した側壁部とを備え、
口部が開口した容器であって、
対向する一対の前記側壁部は矩形状であり、
対向する他の一対の前記側壁部は上辺が下辺に比べて短い台形状であり、
前記台形状の側壁部の幅方向の中心に折り目が形成され容器内部に折り曲がっており、
該折り目の一点から前記台形状の側壁部の前記底面と接続する各頂点に折り目が形成され、
前記底辺の中心を結んだ線に沿って前記底部に折り目が形成されていることを特徴とする容器。
【請求項３】
矩形状の底部（４１、４３）と、
前記底部の各辺に接続した側壁部（３１、３２、３３、３４）とを備え、
口部が開口した容器であって、
前記側壁部は矩形状であり、
対向する一対の前記側壁部（３１、３３）の幅方向の中心に折り目（３１４、３１５）が形成され容器内部に折り曲がっており、
該折り目の一点（３１６、３２２）から該側壁部の上辺の中心と上辺の頂点の間の点（３１７、３１８、３２３、３２４）に延びる斜め折り目（３１９、３２０、３２５、３２６）がそれぞれ形成され、
該斜め折り目を容器内部に折り曲げ、前記側壁部の幅方向の中心の折り目の一点（３１６、３２２）より上部の前記側壁部の幅方向の中心の折り目（３２１、３２７）を容器の外側に折り曲げることにより凸部が形成され
前記幅方向の中心の折り目の一点（３１６、３２２）よりも下方の一点（３３０、３４１）から該側壁部の前記底面と接続する各頂点に折り目（３３１、３３２、３４２、３４３）が形成され、
前記底辺の中心を結んだ線に沿って前記底部に折り目（３１３）が形成されていることを特徴とする容器。
【請求項４】
前記口部は外側に折り曲げられ二重になっていることを特徴とする請求項３記載の容器。
【請求項５】
請求項１乃至４のいずれか１項に記載の容器を平面状に展開してなる一枚の面材であって、前記容器を構成する各部分が互いに所定方向へ折り曲げ可能に連設されてなる面材。
【発明の詳細な説明】
【技術分野】
【０００１】
本発明は、飲料等の液体を収容する容器に関し、特にマラソンの給水時に使用される容器に関する。
【背景技術】
【０００２】
従来、市民マラソンでは、給水所に図１０に示されるような側面方向から見ると逆台形状の容器に水が入れられ置かれていた。ランナーは給水したいときは、給水所に置かれている容器を走りながら取っていた。
【０００３】
しかしながら、図１０のような容器では、底部が口部に比べて小さいため安定性が悪く、またランナーは急いでいるため容器を取るときに倒したり、うまく掴めないという問題があった。また、口部が広いため走っている途中で中身の水がこぼれやすかった。
【０００４】
そして、図１０のような容器では、運送または保管するときは差し込んで積み重ねていたが、嵩張るため余計な体積を生じていた。
そこで、従来、折り畳み可能な容器が発明されていた（例えば、特許文献１参照）。
【０００５】
しかしながら、このような容器は側壁面が垂直であり、滑り止めがないため持ち上げたときに指が引っかからず、落としやすいという問題があった。
【特許文献１】特開平８−２１４９４４号公報
【発明の開示】
【発明が解決しようとする課題】
【０００６】
本発明は上記問題を鑑みてなされたもので、本発明の課題は、倒れにくく、滑り落ちにくく、折り畳み可能な容器を提供することである。
【課題を解決するための手段】
【０００７】
本発明の一態様によれば、本発明の容器は、矩形状の底部と、前記底部の各辺に接続した側壁部とを備え、口部が開口した容器であって、対向する一対の前記側壁部は矩形状であり、対向する他の一対の前記側壁部は三角形状であり、前記三角形状の側壁部の前記底面と接続する底辺の中心から対向する頂点に折り目が形成され容器内部に折り曲がっており、該折り目の一点から前記三角形状の側壁部の前記底面と接続する各頂点に折り目が形成され、前記底辺の中心を結んだ線に沿って前記底部に折り目が形成されている。
【０００８】
また、本発明の一態様によれば、本発明の容器は、矩形状の底部と、前記底部の各辺に接続した側壁部とを備え、口部が開口した容器であって、対向する一対の前記側壁部は矩形状であり、対向する他の一対の前記側壁部は上辺が下辺に比べて短い台形状であり、前記台形状の側壁部の幅方向の中心に折り目が形成され容器内部に折り曲がっており、該折り目の一点から前記台形状の側壁部の前記底面と接続する各頂点に折り目が形成され、前記底辺の中心を結んだ線に沿って前記底部に折り目が形成されている。
【０００９】
また、本発明の一態様によれば、本発明の容器は、矩形状の底部と、前記底部の各辺に接続した側壁部とを備え、口部が開口した容器であって、前記側壁部は矩形状であり、対向する一対の前記側壁部の幅方向の中心に折り目が形成され容器内部に折り曲がっており、該折り目の一点から該側壁部の上辺の中心と上辺の頂点の間の点に延びる斜め折り目がそれぞれ形成され、該斜め折り目を容器内部に折り曲げ、前記側壁部の幅方向の中心の折り目の一点より上部の前記側壁部の幅方向の中心の折り目を容器の外側に折り曲げることにより凸部が形成され前記幅方向の中心の折り目の一点よりも下方の一点から該側壁部の前記底面と接続する各頂点に折り目が形成され、前記底辺の中心を結んだ線に沿って前記底部に折り目が形成されている。
【００１０】
また、前記口部は外側に折り曲げられ二重になっていることが望ましい。
また、本発明の一態様によれば、本発明の面材は、前記容器を平面状に展開してなる一枚の面材であって、前記容器を構成する各部分が互いに所定方向へ折り曲げ可能に連設されている。
【発明の効果】
【００１１】
本発明によれば、底面が口部に比べて広いため重心が低く安定性があり、側壁部が指に引っかかりやすくなっているため、持ったときに滑り落ちにくい。
【発明を実施するための最良の形態】
【００１２】
以下、図面を参照しながら本発明の実施の形態を説明する。
図１は、本発明の第１の実施の形態の容器の斜視図である。
図２（ａ）は、本発明の第１の実施の形態の容器の正面図、（ｂ）は側面図、（ｃ）は底面図である。
【００１３】
図３は、本発明の第１の実施の形態の容器の展開図である。
図４は、本発明の第１の実施の形態の容器の扁平状態を示す図である。
本発明の第１の実施の形態の容器は、第１の側壁部１１、第２の側壁部１２、第３の側壁部１３、第４の側壁部１４、および底面部１９、２１を備えている。
【００１４】
本発明の第１の実施の形態の容器は、図３に示されるような一枚の面材を実線で示される切り抜き線で裁断し、山折りを示す破線で表された折り目および谷折りを示す鎖線で表された折り目で適当に折り曲げ貼着することで形成される。また、複数の面材を組み合わせることで形成しても良い。面材としては、紙、プラスチック、またはそれらの積層材などが用いられる。
【００１５】
図３に示すように、本発明の第１の実施の形態の容器は、第１の側壁部１１、第２の側壁部１２、第３の側壁部１３、第４の側壁部１４、および接着片１５がそれぞれ折り目１０１、１０２、１０３、および１０４を介して連設し、第２の側壁部１２および第４の側壁部１４の上部には、それぞれ折り目１０５および１０６を介して折り返し部１６および１７が連設し、第１の側壁部１１、第２の側壁部１２、第３の側壁部１３、および第４の側壁部１４の下部には、それぞれ折り目１０７、１０８、１０９、および１１０を介して折り込み部１８、底面部１９、折り込み部２０、および底面部２１が連設し、底面部１９には折り目１１１を介して接着片２２が連設している。
【００１６】
第１の側壁部１１および第３の側壁部１３は三角形状であり、第２の側壁部１２および第４の側壁部１４の側壁部は矩形状である。
第１の側壁部１１および第３の側壁部１３の上部の頂点１１２および１１３からそれぞれ折り込み部１８および２０に対して、折り目１０７および１０９の中心を通る折り目１１４および１１５が形成されている。
【００１７】
第１の側壁部１１の底辺の頂点１１６および１１７から、折り目１１４の途中の点１１８に対して折り目１１９および１２０が形成されている。また、点１１８より上部の折り目を折り目１１４、点１１８から折り目１０７までの折り目を折り目１２１、折り込み部１８の中心を通る折り目を折り目１２２とする。頂点１１６および１１７から、折り込み部１８の下辺に対しそれぞれ折り目１２３および１２４が形成されている。折り目１２３および１２４を介してそれぞれ糊代１２５および１２６が連設されている。
【００１８】
同様に第３の側壁部１３にも底辺の頂点１２７および１２８から折り目１１５の途中の点１２９に対して折り目１３０および１３１が形成されている。また、点１２９より上部の折り目を折り目１１５、点１２９から折り目１０９までの折り目を折り目１３２、折り込み部２０の中心を通る折り目を折り目１３３とする。頂点１２７および１２８から、折り込み部２０の下辺に対しそれぞれ折り目１３４および１３５が形成されている。折り目１３４および１３５を介してそれぞれ糊代１３６および１３７が連設されている。
【００１９】
第２の側壁部１２および第４の側壁部１４の側壁部の幅方向の中心には、それぞれ折り目１３８および１３９が形成されている。
次に、本発明の第１の実施の形態の容器の組み立て方について説明する。
【００２０】
折り返し部１６および１７の裏側に接着剤を塗布し、第２の側壁部１２および第４の側壁部１４に対してそれぞれ折り目１０５および１０６に沿って山折りし、貼着する。このように口部を２重にすることで、強度を増すことができる。
【００２１】
糊代１２５および１２６に接着剤を塗布し、それぞれ折り目１２３および１２４に沿って谷折りし、折り込み部１８に貼着する。同様に糊代１３６および１３７もそれぞれ折り目１３４および１３５に沿って谷折りし、折り込み部２０に貼着する。
【００２２】
折り目１０１〜１０４をそれぞれ山折りし、容器の胴部を形成し、折り目１０６〜１０９をそれぞれ山折りし、矩形の容器の底部を形成する。接着片１５に接着剤を塗布し、第１の側壁部１１および糊代１２５の裏側に貼着する。また、接着片２２の裏側に接着剤を塗布し、底面部２１の縁辺に貼着する。
【００２３】
折り目１３８及び１３９には、山折りの折り目を付けておくことで、容器の口部が開きやすくなる。
折り目１１１を容器の内側に折り込むように谷折りすると共に折り目１２２および１３３を容器の内側に谷折り、折り目１２１および１３２を容器の外側に山折りし、折り目１１４、１１５、１１９、１２０、１３０、および１３１を容器の内側に折り込むように谷折りすることで、図４に示されるような扁平状態にすることができる。
【００２４】
このように扁平状態にすることで、運送または保管時に必要なスペースを小さくすることができる。
使用時には、折り目１１４および１１５は谷折りされ容器内部に若干へこんでおり、折り目１３８および１３９は山折りされ容器外部に若干膨らんで口部が開いており、容器の底面は広がっている。
【００２５】
使用時には、第１の側壁部１１および第３の側壁部１３に指の先端が来るように手で掴んで持つことになるが、第１の側壁部１１および第３の側壁部１３の上方部分の幅方向の間隔Ａは、下方部分の幅方向の間隔Ｂよりも狭いことから、第１の側壁部１１および第３の側壁部１３の下から上に指が移動しようとしても途中で引っかかるため、持ったときに容器が滑り落ちるのを防ぐことができる。
【００２６】
本発明の第１の実施の形態の容器は、底面が口部に比べて広いため、置いたときに安定性があり、特に水等の液体を入れたときには重心が低いため倒れにくくなる。また、口部が狭いため水がこぼれ落ちにくい。
【００２７】
図５は、本発明の第２の実施の形態の容器の斜視図である。
図６は、本発明の第２の実施の形態の容器の展開図である。
本発明の第２の実施の形態の容器は、第１の実施の形態の容器の第１の側壁部１１および第３の側壁部１３に対応する部分が三角形状でなく、下辺に比べ上辺が短い台形状であるものである。
【００２８】
本発明の第２の実施の形態の容器も第１の実施の形態の容器と同様に図６に示されるような一枚の面材を実線で示される切り抜き線で裁断し、山折りを示す破線で表された折り目および谷折りを示す鎖線で表された折り目で適当に折り曲げ、貼着することで形成される。
【００２９】
使用時には、台形状の側壁部の幅方向の中心の折り目は谷折りされ容器内部に若干へこんでおり、容器の底面は広がっている。
本発明の第２の実施の形態の容器も同様に図５に示すように第１の側壁部および第３の側壁部の上方部分の幅方向の間隔Ａは、下方部分の幅方向の間隔Ｂよりも狭いことから、第１の側壁部および第３の側壁部の下から上に指が移動しようとしても途中で引っかかるため、持ったときに容器が滑り落ちるのを防ぐことができる。
【００３０】
本発明の第２の実施の形態の容器も同様に、底面が口部に比べて広いため、置いたときに安定性があり、特に水等の液体を入れたときには重心が低いため倒れにくくなる。また、口部が狭いため水がこぼれ落ちにくい。
【００３１】
本発明の第２の実施の形態の容器も同様に扁平状態にすることができ、運送または保管時に必要なスペースを小さくすることができる。
【００３２】
図７は、本発明の第３の実施の形態の容器の斜視図である。
図８（ａ）は、本発明の第３の実施の形態の容器の正面図、（ｂ）は側面図、（ｃ）は底面図である。
図９は、本発明の第３の実施の形態の容器の展開図である。
【００３３】
本発明の第３の実施の形態の容器も第１および第２の実施の形態の容器と同様に図９に示されるような一枚の面材を実線で示される切り抜き線で裁断し、山折りを示す破線で表された折り目および谷折りを示す鎖線で表された折り目で適当に折り曲げ、貼着することで形成される。
【００３４】
図９に示すように、本発明の第３の実施の形態の容器は、第１の側壁部３１、第２の側壁部３２、第３の側壁部３３、第４の側壁部３４、および接着片３５がそれぞれ折り目３０１〜３０４を介して連設し、各側壁部の上部には、それぞれ折り目３０５〜３０８を介して折り返し部３６〜３９が連設し、各側壁部の下部には、それぞれ折り目３０９〜３１２を介して折り込み部４０、底面部４１、折り込み部４２、および底面部４３が連設し、底面部４１には折り目３１３を介して接着片４４が連設している。
【００３５】
第１の側壁部３１、第２の側壁部３２、第３の側壁部３３、および第４の側壁部３４は矩形状である。
第１の側壁部３１および第３の側壁部３３の幅方向の中心にそれぞれ折り目３１４および３１５が形成されており、それぞれ折り返し部３６および３８から折り込み部４０および４２まで続いている。
【００３６】
第１の側壁部３１には、折り目３１４の途中の点３１６から、折り目３０５の端と中点の間の途中の点３１７および３１８に延びる折り目３１９および３２０が形成されている。折り目３１４の途中の点３１６から折り目３０５の中点までの折り目を折り目３２１とする。
【００３７】
同様に第３の側壁部３３には、折り目３１５の途中の点３２２から、折り目３０７の端と中点の間の途中の点３２３および３２４に延びる折り目３２５および３２６が形成されている。折り目３１５の途中の点３２２から折り目３０７の中点までの折り目を折り目３２７とする。
【００３８】
第１の側壁部３１の底辺の頂点３２８および３２９から、折り目３１４の途中の点３１６よりも折り目３０９に近い折り目３１４の途中の点３３０に対して折り目３３１および３３２が形成されている。点３３０から折り目３０９までの折り目を折り目３３３、折り込み部４０の中心を通る折り目を折り目３３４とする。頂点３２８および３２９から、折り込み部４０の下辺に対しそれぞれ折り目３３５および３３６が形成されている。折り目３３５および３３６を介してそれぞれ糊代３３７および３３８が連設されている。
【００３９】
同様に第３の側壁部３３にも底辺の頂点３３９および３４０から、折り目３１５の途中の点３２２よりも折り目３１１に近い折り目３１５の途中の点３４１に対して折り目３４２および３４３が形成されている。点３４１から折り目３１１までの折り目を折り目３４４、折り込み部４２の中心を通る折り目を折り目３４５とする。頂点３３９および３４０から、折り込み部４２の下辺に対しそれぞれ折り目３４６および３４７が形成されている。折り目３４６および３４７を介してそれぞれ糊代３４８および３４９が連設されている。
【００４０】
第２の側壁部３２および第４の側壁部３４の側壁部の幅方向の中心には、それぞれ折り目３５０および３５１が形成されている。
次に、本発明の第３の実施の形態の容器の組み立て方について説明する。
【００４１】
折り返し部３６〜３９に接着剤を塗布し、各側壁部に対してそれぞれ折り目３０５〜３０８に沿って谷折りし、貼着する。このように口部を２重にすることで、強度を増すことができる。
【００４２】
糊代３３７および３３８に接着剤を塗布し、それぞれ折り目３３５および３３６に沿って谷折りし、折り込み部４０に貼着する。同様に糊代３４８および３４９もそれぞれ折り目３４６および３４７に沿って谷折りし、折り込み部４２に貼着する。
【００４３】
折り目３０１〜３０４をそれぞれ山折りし、容器の胴部を形成し、折り目３０９〜３１２をそれぞれ山折りし、矩形の容器の底部を形成する。接着片３５に接着剤を塗布し、第１の側壁部３１および糊代３３７の裏側に貼着する。また、接着片４４の裏側に接着剤を塗布し、底面部４３の縁辺に貼着する。
【００４４】
折り目３５０および３５１には、山折りの折り目を付けておくことで、容器の口部が開きやすくなる。
折り目３２１を山折りし、折り目３１９および３２０を谷折りすることで、第１の側壁部３１に凸部を形成する。
【００４５】
同様に折り目３２７を山折りし、折り目３２５および３２６を谷折りすることで、第３の側壁部３３に凸部を形成する。
折り目３１３を容器の内側に折り込むように谷折りすると共に折り目３３４および３４５を容器の内側に谷折りし、折り目３３３および３４４を容器の外側に山折りし、折り目３１４、３１５、３３１、３３２、３４２、および３４３を容器の内側に折り込むように谷折りすることで、扁平状態にすることができる。
【００４６】
このように本発明の第３の実施の形態の容器も同様に扁平状態にすることができ、運送または保管時に必要なスペースを小さくすることができる。
使用時には、折り目３１４および３１５は谷折りされ容器内部に若干へこんでおり、容器の底面は広がっている。また、第１の側壁部３１および第３の側壁部３３には側壁部を折り曲げることのより凸部が形成されているので、第１の側壁部３１および第３の側壁部３３は側面方向から見ると上辺が下辺に比べて短い台形状になる。
【００４７】
使用時には、第１の側壁部３１および第３の側壁部３３に指の先端が来るように手で掴んで持つことになるが、第１の側壁部３１および第３の側壁部３３の上方部分の幅方向の間隔Ａは、下方部分の幅方向の間隔Ｂよりも狭いことから、第１の側壁部３１および第３の側壁部３３の下から上に指が移動しようとしても途中で引っかかるため、持ったときに容器が滑り落ちるのを防ぐことができる。
【００４８】
また、第１の側壁部３１および第３の側壁部３３には外側に広がるように凸部が形成されているので、指が引っかかるようになっており、さらに口部は折り返し部３６〜３９が容器の外側に折り返され貼着されているため、折り返し部３６〜３９の縁で段差が生じることにより指が引っかかりやすくなっており、持ったときに容器が滑り落ちるのを防ぐことができる。なお、折り返し部は必須のものではなく、設けなくてもよい。
【００４９】
また、第１および第２の実施の形態の容器においても、第３の実施の形態の容器と同様に外側に折り返した折り返し部を設けることで滑り止めを形成しても良い。
本発明の第３の実施の形態の容器も同様に、底面が口部に比べて広いため、置いたときに安定性があり、特に水等の液体を入れたときには重心が低いため倒れにくくなる。また、口部が狭いため水がこぼれ落ちにくい。
【００５０】
本発明の第３の実施の形態の容器は、展開図が略長方形であり、第１および第２の実施の形態の容器に比べて面材の無駄が少なくなるという利点もある。
以上、本発明の実施の形態を説明してきたが、本発明は以上に述べた実施の形態に限定されるものではなく、本発明の要旨を逸脱しない範囲内で種々の構成を取ることができる。
【図面の簡単な説明】
【００５１】
【図１】本発明の第１の実施の形態の容器の斜視図である。
【図２】（ａ）は、本発明の第１の実施の形態の容器の正面図、（ｂ）は側面図、（ｃ）は底面図である。
【図３】本発明の第１の実施の形態の容器の展開図である。
【図４】本発明の第１の実施の形態の容器の扁平状態を示す図である。
【図５】本発明の第２の実施の形態の容器の斜視図である。
【図６】本発明の第２の実施の形態の容器の展開図である。
【図７】本発明の第３の実施の形態の容器の斜視図である。
【図８】（ａ）は、本発明の第３の実施の形態の容器の正面図、（ｂ）は側面図、（ｃ）は底面図である。
【図９】本発明の第３の実施の形態の容器の展開図である。
【図１０】従来の容器の斜視図である。
【符号の説明】
【００５２】
１１〜１４    側壁部
１５    接着片
１６、１７    折り返し部
１８、２０    折り込み部
１９、２１    底面部
２２    接着片
１０１〜１１１    折り目
１１２、１１３    頂点
１１４、１１５    折り目
１１６、１１７    頂点
１１８    点
１１９〜１２４    折り目
１２５、１２６    糊代
１２７、１２８    頂点
１２９    点
１３０〜１３５    折り目
１３６、１３７    糊代
１３８、１３９    折り目
３１〜３４    側壁部
３５    接着片
３６〜３９    折り返し部
４０、４２    折り込み部
４１、４３    底面部
４４    接着片
３０１〜３１５    折り目
３１６〜３１８    点
３１９〜３２１    折り目
３２２〜３２４    点
３２５〜３２７    折り目
３２８、３２９    頂点
３３０    点
３３１〜３３６    折り目
３３７、３３８    糊代
３３９、３４０    頂点
３４１    点
３４２〜３４７    折り目
３４８、３４９    糊代
３５０、３５１    折り目
【図１】
2008007138.tif 000003
【図２】
2008007138.tif 000004
【図３】
2008007138.tif 000005
【図４】
2008007138.tif 000006
【図５】
2008007138.tif 000007
【図６】
2008007138.tif 000008
【図７】
2008007138.tif 000009
【図８】
2008007138.tif 000010
【図９】
2008007138.tif 000011
【図１０】
2008007138.tif 000012